(57)【特許請求の範囲】
【請求項１】
記録手順をサポートするための装置であって、
電子情報を同期させるためのタイムコードを生成するタイムコード生成器と、
ビデオデータ及び音声データと組み合わせてカメラデータを生成するために、前記タイムコードを複数のカメラ及び拡音（ＰＡ）システムへ無線で送信するトランシーバと、
を含み、前記カメラが、レコーダメモリに記憶するために前記カメラデータをレコーダへ無線で送信し、
前記レコーダには、当該レコーダにＰＡ音声信号を提供する拡声システムが結合され、
前記レコーダが、前記タイムコードを前記ＰＡ音声信号と組み合わせてＰＡデータを生成し、該ＰＡデータが前記レコーダメモリに記憶される、
ことを特徴とする装置。
【請求項２】
前記レコーダが、各々が前記複数のカメラの異なるそれぞれの１つから送信された前記カメラデータの別個の組を同時に記憶する、
ことを特徴とする請求項１に記載の装置。
【請求項３】
前記カメラデータの前記別個の組に前記タイムコードの同一のインスタンスが埋め込まれていることにより、前記カメラデータの前記別個の組が同期することができる、
ことを特徴とする請求項２に記載の装置。
【請求項４】
前記カメラデータに前記タイムコードを事前に埋め込むことにより、音声−ビデオ編集手順が容易化される、
ことを特徴とする請求項３に記載の装置。
【請求項５】
前記レコーダのセキュリティマネージャが、前記レコーダと前記カメラとの間にセキュアな無線通信リンクを確立する、
ことを特徴とする請求項１に記載の装置。
【請求項６】
前記セキュリティマネージャが、前記カメラによって提供された一意の識別子を含む前記カメラデータのみを受信してローカルに記憶することを許可する、
ことを特徴とする請求項５に記載の装置。
【請求項７】
前記レコーダメモリが、前記カメラデータを記憶するための複数のハードディスクドライブを含むように実現される、
ことを特徴とする請求項１に記載の装置。
【請求項８】
前記レコーダメモリが、前記カメラデータを取り込むための記録時間の延長を可能にするディスクドライブ交換手順をサポートする、
ことを特徴とする請求項７に記載の装置。
【請求項９】
前記レコーダが、コンピュータに結合されて双方向通信手順をサポートする、
ことを特徴とする請求項１に記載の装置。
【請求項１０】
前記レコーダが、単一のインターフェイスケーブルを介して前記コンピュータに結合される、
ことを特徴とする請求項９に記載の装置。
【請求項１１】
前記コンピュータが、編集手順を実行するための編集アプリケーションを含む、
ことを特徴とする請求項９に記載の装置。
【請求項１２】
前記編集アプリケーションが前記タイムコードを参照して、前記カメラデータ、及び拡声システムからのＰＡデータに前記編集手順を実行する、
ことを特徴とする請求項１１に記載の装置。
【請求項１３】
前記編集手順が、前記カメラデータ及び前記ＰＡデータを前記コンピュータへ転送せずに前記レコーダ上で行われる、
ことを特徴とする請求項１２に記載の装置。
【請求項１４】
前記レコーダ、及び前記複数のカメラのうちのコントローラカメラが、カメラユーザが前記コントローラカメラを利用して前記レコーダの動作を制御する遠隔レコーダ制御手順をサポートする、
ことを特徴とする請求項１に記載の装置。
【請求項１５】
前記レコーダの通信マネージャが、前記カメラユーザに対してファインダ装置内に表示するためのレコーダ状態信号を前記制御装置カメラへ無線で送信する、
ことを特徴とする請求項１４に記載の装置。
【請求項１６】
前記カメラユーザが、前記制御装置カメラの通信モジュールを利用してレコーダ制御信号を前記レコーダへ無線で送信する、
ことを特徴とする請求項１５に記載の装置。
【請求項１７】
前記レコーダが、前記複数のカメラからの前記カメラデータ及び拡声システムからのＰＡデータを同時に記録し、前記タイムコードの同期したバージョンを埋め込むことにより、前記カメラデータ及び前記ＰＡデータが編集手順のために同期される、
ことを特徴とする請求項１２に記載の装置。
【発明の詳細な説明】
【技術分野】
【０００１】
本発明は、一般に電子情報を処理するための技術に関し、より具体的には、レコーダ装置を効果的に利用するためのシステム及び方法に関する。
【背景技術】
【０００２】
電子情報を処理するための効果的な方法を実施することは、現代の電子娯楽システムの設計者及び製造者にとって重要な検討課題である。しかしながら、電子情報を効果的に処理することにより、システム設計者に多くの課題が生じる恐れがある。例えば、さらなるシステムの機能及び性能を求める要求が高まることにより、より大きなシステム処理能力が必要となり、追加のソフトウェアリソースが必要となる可能性がある。処理要件又はハードウェア要件の増加により、生産コスト及び経営の非効率性が増加した結果、これに対応する不利益な経済的影響がもたらされる可能性もある。
【０００３】
さらに、様々な高度な動作を行うための高められたシステム機能により、システムユーザに付加的な利益がもたらされる場合もあるが、様々なシステム構成要素の制御及び管理にさらなる要求が突きつけられる可能性もある。例えば、関連するデジタルデータは量が多く複雑なため、ビデオ情報を効果的に取り込んで管理する強化された電子システムは、効果的な実施から恩恵を受けることができる。
【０００４】
システムリソースに対する要求の増大及び大幅に増加するデータの大きさにより、電子情報を処理するための新しい技術を開発することが、関連する電子技術にとって懸案事項であることは明らかである。従って、全ての上述の理由から、電子情報を処理するための効果的なシステムを開発することは、現代の電子装置の設計者、製造者、及びユーザにとって依然として重要な検討課題のままとなっている。
【発明の概要】
【課題を解決するための手段】
【０００５】
本発明によれば、記録システムを効果的に実行するためのシステム及び方法が開示される。本発明の１つの実施形態によれば、記録システムのレコーダが、最初にタイムコード生成器を利用していずれかの効果的な態様でタイムコード信号を生成し始める。その後、レコーダは、セキュリティマネージャを利用して、いずれかの効果的な技術又はプロトコルに基づいて記録システム内の複数の異なるカメラへのセキュアな無線接続を確立する。
【０００６】
次にレコーダは、トランシーバを利用して、生成したタイムコード信号を異なるそれぞれのカメラへ無線で送信する。その後、様々なカメラが、適当なビデオデータ及び対応する音声データを取り込む段階へ進む。カメラはまた、それぞれのタイムコードマネージャを利用して、受信したタイムコードを取り込んだカメラデータ（ビデオデータ及び音声データ）に挿入する。その後、カメラは、それぞれのトランシーバを利用してカメラデータをレコーダへ送信し、このレコーダは、様々なカメラからカメラデータを受信した後、受信したカメラデータをレコーダメモリにローカルに記憶する。
【０００７】
本発明の特定の実施形態によれば、レコーダと拡声システム（ＰＡ）の間にいずれかの効果的な態様で同時に接続を提供することもできる。レコーダからのレコーダアプリケーションが、タイムコード生成器によって生成されているタイムコードにアクセスする。レコーダは、ＰＡからＰＡ音声信号を受信し、レコーダアプリケーションは、このＰＡ音声信号をタイムコード信号と組み合わせてＰＡデータを生成する。その後、レコーダアプリケーションは、このＰＡデータをレコーダメモリにローカルに記憶する。
【０００８】
本発明の特定の実施形態によれば、レコーダとコンピュータの間にいずれかの効果的な態様で接続を提供することができる。その後、コンピュータは、いずれかの適当なプロトコル又は技術に基づいてレコーダと双方向通信を開始することができる。コンピュータの編集プログラムが、レコーダメモリに記憶されているカメラデータ及びＰＡデータにアクセスすることができる。コンピュータの編集プログラムは、カメラデータ及びＰＡデータをレコーダメモリに記憶したままで、これらに対して行われる編集手順を遠隔制御することにより、編集済みデータを生成することができる。最終的に、レコーダアプリケーションが、編集済みデータをレコーダメモリにローカルに記憶する。このようにして、本発明は、記録システムを効果的に実行するための改善されたシステム及び方法を提供する。
【図面の簡単な説明】
【０００９】
【図１】本発明の１つの実施形態による記録システムのブロック図である。
【図２】本発明による図１のレコーダの１つの実施形態のブロック図である。
【図３】本発明による図２のレコーダメモリの１つの実施形態のブロック図である。
【図４】本発明による図３のカメラデータの１つの実施形態のブロック図である。
【図５】本発明による図１のカメラの１つの実施形態のブロック図である。
【図６】本発明による図５の取り込みサブシステムの１つの実施形態のブロック図である。
【図７】本発明による図５の制御モジュールの１つの実施形態のブロック図である。
【図８】本発明による図７のカメラメモリの１つの実施形態のブロック図である。
【図９Ａ】本発明の１つの実施形態による、記録システムを効果的に利用する方法ステップのフロー図である。
【図９Ｂ】本発明の１つの実施形態による、記録システムを効果的に利用する方法ステップのフロー図である。
【図９Ｃ】本発明の１つの実施形態による、記録システムを効果的に利用する方法ステップのフロー図である。
【発明を実施するための形態】
【００１０】
本発明は、記録システムの改善に関する。以下の説明は、当業者が本発明を実施及び使用できるようにするために提供し、特許出願及びその要件との関連において行うものである。当業者には、開示する実施形態に対する様々な修正が容易に明らかになるであろうし、また本明細書における一般的な原理を他の実施形態に適用することもできる。従って、本発明は、図示の実施形態に限定されることを意図されるものではなく、本明細書で説明する原理及び特徴と一致する最も広い範囲を許容すべきものである。
【００１１】
本明細書では、レコーダ装置を効果的に利用するシステム及び方法として本発明について説明し、この発明は、電子情報を同期させるためのタイムコードを生成するタイムコード生成器を含む。レコーダ装置のトランシーバが、タイムコードを複数のカメラへ無線で送信する。カメラは、ビデオデータ及び音声データを取り込み、それぞれのカメラのタイムコードマネージャが、受信したタイムコードを取り込んだビデオデータ及び音声データと組み合わせてカメラデータを生成する。その後、カメラは、レコーダメモリに記憶するためにカメラデータをレコーダ装置へ無線で送信する。レコーダ装置は、拡声システムからＰＡ音声データを受信して記憶することもできる。さらに、コンピュータ装置がレコーダ装置と通信して、記憶されたカメラデータ及びＰＡデータに様々な種類の編集手順を実行して編集済みデータを生成することができる。
【００１２】
ここで図１を参照すると、本発明の１つの実施形態による記録システム１１０のブロック図を示している。図１の実施形態では、記録システム１１０は、以下に限定されるわけではないが、複数のカメラ１１２、レコーダ１１４、拡声システム（ＰＡ）１１６、及びコンピュータ１１８を含むことができる。代替の実施形態では、図１の実施形態に関連して説明する構成要素及び構成のいくつかに加え、或いはこれらの代わりに構成要素及び構成を利用することにより記録システム１１０を実現することができる。
【００１３】
本発明によれば、記録システム１１０内であらゆる所望の数のカメラ１１２をサポートすることができる。図１の実施形態では、カメラ１１２は、カメラ１（１１２（ａ））〜カメラＮ（１１２（ｃ））を含むことができる。図１の実施形態では、カメラ１１２の各々は、いずれかの適当かつセキュアな無線通信技術又はその他の効果的な通信方法を利用することにより、レコーダ１１４と双方向に通信する。カメラ１１２の１つの実施構成については、図５〜図８に関連して以下でさらに説明する。
【００１４】
図１の実施形態では、様々なカメラ１１２から送信されるカメラデータを同時に記録するためのいずれかの効果的な態様でレコーダ１１４を実現することができる。図１の実施形態では、レコーダ１１４はまた、取り込んだビデオデータ及び音声データと組み合わせるために、カメラ１１２に（公知の又は改良されたタイムコードなどの）グローバル同期信号も無線で提供する。この埋め込まれたタイムコードは、様々なカメラからのカメラデータを容易に同期できるようにすることにより、その後のあらゆる編集手順を大幅に容易化する。
【００１５】
図１の実施形態では、通常、レコーダ１１４は、複数のハードディスクドライブを接続するための適当なインターフェイス手段を提供して、記録時間の大幅な延長を可能にするディスク交換手順をサポートする。例えば、特定のハードディスクが満杯になった場合、レコーダ１１４は、記録処理を別の満杯でないハードディスクに切り替えることができるという利点を有する。その後、この満杯のディスクを別の空のハードディスクに取り替えることができる。カメラ１１２にレコーダ１１４上のハードディスクへの無線アクセスを提供することにより、それぞれのカメラ１１２内の不揮発性メモリにカメラデータをローカルに記憶する必要性が軽減される。レコーダ１１４の１つの実施形態のさらなる詳細については、図２〜図４に関連して以下でさらに説明する。
【００１６】
図１の実施形態では、いずれかの効果的な態様でレコーダ１１４をＰＡ１１６に結合することができる。通常、ＰＡ１１６は、以下に限定されるわけではないが、１又はそれ以上のマイク又はその他の音源、及び音声信号を組み合わせて合成ＰＡ音声信号に変える音声ミキサ装置を含む。いくつかの実施形態では、通常、カメラ１１２で同時に撮影中の特定のライブイベントでＰＡ１１６を利用することができる。本発明によれば、レコーダ１１４が、ＰＡ１１６から合成ＰＡ音声信号を受信する。レコーダ１１４は、受信したＰＡ音声信号を、カメラ１１２へ無線で送信されている同じタイムコード信号と組み合わせることによりＰＡデータを生成し、その後、これをカメラ１１２からのカメラデータと容易に同期させることができる。
【００１７】
図１の実施形態では、いずれかの効果的な態様でレコーダ１１４をコンピュータ１１８に結合することができる。例えば、いずれかの効果的なプロトコル又は技術を使用することにより、双方向通信をサポートする単一のケーブル接続を介して、レコーダ１１４をコンピュータ１１８に効率的に結合することができる。レコーダ１１４を制御してこれと別様にやりとりするためのいずれかの適当な態様でコンピュータ１１８を実現することができる。例えば、コンピュータ１１８は適当な編集ソフトウェアを含むことができ、これが、カメラデータ又はＰＡデータをコンピュータ１１８へ転送することなく、レコーダ１１４に記憶されたカメラデータ及びＰＡデータに対してコンピュータ１１８が様々な適当な非線形編集手順を効率的に実行できるようにする。図１の記録システム１１０の実施構成及び利用性については、図２〜図９に関連して以下でさらに説明する。
【００１８】
ここで図２を参照すると、本発明による図１のレコーダ１１４の１つの実施形態のブロック図を示している。図２の実施形態では、レコーダ１１４は、以下に限定されるわけではないが、中央演算装置（ＣＰＵ）２１２、トランシーバ２１４、ディスプレイ２１６、レコーダメモリ２１８、タイムコード生成器２２０及び入出力インターフェイス（Ｉ／Ｏインターフェイス）２２２を含むことができる。上述のレコーダ１１４の構成要素から選択した構成要素をレコーダバス２２８に結合し、これを介して通信することができる。代替の実施形態では、図２の実施形態に関連して説明する構成要素及び構成のいくつかに加え、或いはこれらの代わりに構成要素及び構成を使用してレコーダ１１４を実現することができる。
【００１９】
図２の実施形態では、ＣＰＵ２１２を、ソフトウェア命令を実行することにより制御レコーダ１１４の動作を制御及び管理するいずれかの適当な互換性のあるマイクロプロセッサ装置を含むように実現することができる。図２の実施形態では、トランシーバ２１４は、レコーダ１１４とカメラ１１２又はその他の電子装置との間の双方向無線通信をサポートするためのいずれかの効果的な手段を含むことができる。例えば、トランシーバ２１４は、複数の外部無線装置と同時に通信するための複数の送受信チャネルを提供することができる。
【００２０】
図２の実施形態では、ディスプレイ２１６は、システムユーザに視覚情報を提供するためのいずれかの効果的な手段を含むことができる。例えば、ディスプレイ２１６は、レコーダ１１４の動作又はその他の適当なエンティティに関する情報を提供する様々な状態インジケータを含むことができる。図２の実施形態では、レコーダメモリ２１８を、以下に限定されるわけではないが、読み出し専用メモリ（ＲＯＭ）、ランダムアクセスメモリ（ＲＡＭ）、及びフロッピーディスク、フラッシュメモリ、又はハードディスクなど様々な種類の不揮発性メモリを含む所望の記憶装置のあらゆる組み合わせを含むように実現することができる。メモリ２１８の内容及び機能性については、図３及び図４に関連して以下でさらに説明する。
【００２１】
図２の実施形態では、タイムコード生成器２２０を、あらゆる公知の又は強化したプロトコル又はフォーマットに基づいて１又はそれ以上の同期信号を生成するように実現することができる。例えば、タイムコード生成器２２０は、いずれかの適当な増分の時間的順序表示を示すデジタル又はアナログのいずれのフォーマットのタイムコードも生成することができる。
【００２２】
図２の実施形態では、Ｉ／Ｏインターフェイス２２２は、レコーダ１１４のいずれかの必要な種類の情報を受信及び／又は送信するための１又はそれ以上の入力及び／又は出力インターフェイスを含むことができる。例えば、図２の実施形態では、レコーダ１１４は、入出力インターフェイス２２２を利用して、記録システム１１０（図１）内の他の外部装置と双方向に通信することができる。さらに、システムユーザは、いずれかの適当かつ効果的な技術を利用することにより、入出力インターフェイス２２２を利用してレコーダ１１４と通信することができる。例えば、システムユーザは、遠隔制御装置又はキーボードを利用して、入出力インターフェイス２２２を介してレコーダ１１４と通信することができる。レコーダ１１４の実施構成に関するさらなる詳細については、図３及び図４に関連して以下で説明する。
【００２３】
ここで図３を参照すると、本発明による図２のレコーダメモリ２１８の１つの実施形態のブロック図を示している。図３の実施形態では、メモリ２１８は、以下に限定されるわけではないが、レコーダアプリケーション３１２、セキュリティマネージャ３１６、カメラデータ３１８、ＰＡデータ３２０、通信マネージャ３２２、編集済みデータ３２４、及び雑記憶装置３２８を含む。代替の実施形態では、レコーダメモリ２１８は、図３の実施形態に関連して説明する構成要素のいくつかに加え、或いはこれらの代わりに構成要素を含むことができる。
【００２４】
図３の実施形態では、レコーダアプリケーション３１２は、レコーダ１１４の様々な機能及び動作を実行するための、好ましくはＣＰＵ２１２（図２）により実行されるプログラム命令を含むことができる。レコーダアプリケーション３１２の詳細な内容及び機能は、対応するレコーダ１１４の具体的な種類及び詳細な機能などの要素に応じて様々であってもよい。
【００２５】
図３の実施形態では、レコーダ１１４がセキュリティマネージャ３１６を利用して、いずれかの効果的な態様でレコーダ１１４とカメラ１１２との間にセキュアな無線通信回線を作り出す。例えば、カメラ１１２は、送信されるカメラデータと共に一意のセキュリティ識別子を送信することができ、その後、セキュリティマネージャ３１６は、しかるべきセキュリティ識別子が検出された無線送信のみを受け入れて記憶することができる。
【００２６】
図３の実施形態では、カメラデータ３１８は、カメラ１１２によりレコーダ１１４へ送信されたいずれかの適当な情報又はデータを含むことができる。例えば、通常、カメラデータ３１８は、ビデオ情報、音声情報、及びタイムコード情報を含むことができる。カメラデータ３１８に関するさらなる詳細については、図４に関連して以下でさらに説明する。図３の実施形態では、ＰＡデータ３２０は、レコーダ１１４によりアクセスされる、ＰＡ１１６（図１）からのいずれかの適当な情報又はデータを含むことができる。例えば、通常、ＰＡデータ３２０は、音声情報及びタイムコード情報を含むことができる。
【００２７】
図３の実施形態では、レコーダ１１４は、通信マネージャ３２２を利用して様々な外部装置と双方向に通信することができる。例えば、いくつかの実施形態では、通信マネージャ３２２が、１又はそれ以上のカメラ１１２と通信して、カメラユーザがレコーダ１１４の様々な適当な機能を遠隔制御できる遠隔レコーダ制御手順をサポートすることができる。遠隔レコーダ制御手順中、通信マネージャ３２２は、制御側カメラ１１２に様々な状態表示信号を提供することができる。制御側カメラ１１２は、対応する情報をファインダ内に表示することができる。この結果、カメラユーザは、制御側カメラ１１２に、いずれかの所望の制御信号を送信してレコーダ１１４の動作を遠隔的に管理させることができる。
【００２８】
図３の実施形態では、図１に関連して上述したように、コンピュータ１１８又はその他の適当な電子装置がカメラデータ３１８及びＰＡデータ３２０にアクセスし、レコーダ１１４に対して直接編集手順を実行して編集済みデータ３２４を生成することができる。雑記憶装置３２８は、いずれかの所望の追加情報、ソフトウェア又はデータを含むことができる。図３の実施形態では、本発明を主にソフトウェアとして実現されるものとして開示し説明している。しかしながら、代替の実施形態では、本明細書で説明するソフトウェアモジュールの機能と同等の様々な機能を実行するように構成された適当な電子ハードウェア回路により、本発明の機能の一部又は全てを実行することができる。レコーダメモリ２１８の利用性については、図９Ａ及び図９Ｃに関連して以下でさらに説明する。
【００２９】
ここで図４を参照すると、本発明による図３のカメラデータ３１８のブロック図を示している。代替の実施形態では、図４の実施形態に関連して説明する構成要素及び構成のいくつかに加え、或いはこれらの代わりに構成要素及び構成を使用してカメラデータ３１８を実現することができる。
【００３０】
図４の実施形態では、カメラデータ３１８は、それぞれのカメラ１１２（図１）からの個々のカメラデータ３１８の離散的な組を含む。例えば、図４の実施形態では、カメラデータ３１８は、カメラ１１２（ａ）からのカメラ１データ３１８（ａ）〜カメラ１１２Ｎ（ｃ）からのカメラＮデータ３１８（ｃ）を含む。あらゆる所望の数のカメラ１１２が、記録システム１１０内での使用に企図される。図４の実施形態では、個々のカメラデータ３１８の組は、対応するカメラ１１２によりレコーダ１１４へ送信されたいずれかの適当な情報又はデータを含むことができる。例えば、図３に関連して上述したように、通常、個々のカメラデータ３１８の組は、ビデオ情報、音声情報及びタイムコード情報を含むことができる。
【００３１】
ここで図５を参照すると、本発明によるカメラ１１２の１つの実施形態のブロック図を示している。図５の実施形態では、カメラ１１２が、以下に限定されるわけではないが、取り込みサブシステム５１４、システムバス５１６及び制御モジュール５１８を含むビデオカメラとして実現される。図５の実施形態では、取り込みサブシステム５１４を写真対象５１２に光学的に結合することができ、またシステムバス５１６を介して制御モジュール５１８に電気的に結合することもできる。
【００３２】
代替の実施形態では、カメラ１１２が、図５の実施形態に関連して説明した構成要素のいくつかに加え、或いはこれらの代わりに構成要素を含むことができる。また、いくつかの実施形態では、代替として本発明を図５のカメラ１１２以外のいずれかの適当な種類の電子装置と共に実施することができる。例えば、代替としてカメラ１１２を、撮像装置、携帯電話、コンピュータ装置、又は家電装置として実現することができる。
【００３３】
図５の実施形態では、システムユーザが取り込みサブシステム５１４の焦点を対象５１２に合わせ、カメラ１１２に対象５１２に対応する画像データを取り込むように要求すると、制御モジュール５１８が、システムバス５１６を介して取り込みサブシステム５１４に、対象５１２を表す画像データ取り込むように命令することができる。その後、取り込んだ画像データをシステムバス５１６を介して制御モジュール５１８へ転送することができ、これに応じて制御モジュール５１８は、この画像データを使用して様々な処理及び機能を実行することができる。システムバス５１６はまた、取り込みサブシステム５１４と制御モジュール５１８との間で様々な状態及び制御信号を双方向に渡すこともできる。
【００３４】
ここで図６を参照すると、本発明による図５の取り込みサブシステム５１４の１つの実施形態のブロック図を示している。図６の実施形態では、取り込みサブシステム５１４が、以下に限定されるわけではないが、シャッタ６１８、レンズユニット６２０、画像センサ６２４、赤・緑・青色（Ｒ／Ｇ／Ｂ）増幅器６２８、アナログ−デジタル（Ａ／Ｄ）変換器６３０、及びインターフェイス６３２を含む。代替の実施形態では、取り込みサブシステム５１４が、図６の実施形態に関連して説明した構成要素のいくつかに加え、或いはこれらの代わりに構成要素を含むことができる。
【００３５】
図６の実施形態では、取り込みサブシステム５１４が、光路６３６に沿って画像センサ６２４に影響を与える反射光を介して、対象５１２に対応する画像データを取り込む。これに応答して、電荷結合素子（ＣＣＤ）を含むことができる画像センサ６２４が、対象５１２を表す１組の画像データを生成することができる。その後、この画像データは、赤・緑・青色増幅器６２８、Ａ／Ｄ変換器６３０及びインターフェイス６３２を経由することができる。画像データは、しかるべき処理及び記憶のためにインターフェイス６３２からシステムバス５１６を介して制御モジュール５１８に渡される。本発明に関連して、画像データを取り込むためのＣＭＯＳ又は線形アレイなどの他の種類の画像取り込みセンサも企図される。
【００３６】
ここで図７を参照すると、本発明による図５の取り込みサブシステム５１８の１つの実施形態のブロック図を示している。図７の実施形態では、制御モジュール５１８が、以下に限定されるわけではないが、ファインダ７０８、中央演算装置（ＣＰＵ）７４４、メモリ７４６、１又はそれ以上の入出力インターフェイス（Ｉ／Ｏ）７４８及びトランシーバ７５０を含む。ファインダ７０８、ＣＰＵ７４４、メモリ７４６、Ｉ／Ｏ７４８及びトランシーバ７５０は、各々共通のシステムバス５１６を介して結合されるとともに通信を行い、取り込みサブシステム５１４とも通信する。代替の実施形態では、制御モジュール５１８が、図７の実施形態に関連して説明した構成要素のいくつかに加え、或いはこれらの代わりに構成要素を含むことができる。
【００３７】
図７の実施形態では、ＣＰＵ７４４をいずれかの適当なマイクロプロセッサ装置を含むように実現することができる。或いは、他のいずれかの適当な技術を使用してＣＰＵ７４４を実現することができる。例えば、ＣＰＵ７４４をいくつかの特定用途向け集積回路（ＡＳＩＣ）又はその他の適当な電子装置を含むように実現することができる。カメラメモリ７４６は、以下に限定されるわけではないが、読み出し専用メモリ、ランダムアクセスメモリ、及びフロッピーディスク装置、ハードディスク装置又はフラッシュメモリなどのさまざまな不揮発性メモリを含む１又はそれ以上の適当な記憶装置として実現することができる。Ｉ／Ｏ７４８は、カメラ１１２と、システムユーザ又は別の電子装置を含むいずれかの外部エンティティとの間の双方向通信を容易にするための１又はそれ以上の効果的なインターフェイスを提供することができる。いずれかの適当な入力及び／又は出力装置を使用してＩ／Ｏ７４８を実現することができる。制御モジュール５１８の動作及び利用性については、図８に関連して以下でさらに説明する。
【００３８】
ここで図８を参照すると、本発明による図７のカメラメモリ７４６の１つの実施形態のブロック図を示している。図８の実施形態では、メモリ７４６は、以下に限定されるわけではないが、カメラアプリケーション８１２、オペレーティングシステム８１４、タイムコードマネージャ８１６、セキュリティモジュール８１８、カメラデータ８２０、通信モジュール８２２、及び雑記憶装置８２４を含む。代替の実施形態では、カメラメモリ７４６が、図８の実施形態に関連して説明した構成要素のいくつかに加え、或いはこれらの代わりに構成要素を含むことができる。
【００３９】
図８の実施形態では、カメラアプリケーション８１２は、カメラ１１２の様々な機能及び動作を実行するためにＣＰＵ７４４（図７）により実行されるプログラム命令を含むことができる。カメラアプリケーション８１２の詳細な性質及び機能は、対応するカメラ装置１１２の種類及び詳細な用途などの要素に応じて異なる。図８の実施形態では、オペレーティングシステム８１４は、カメラ装置１１２の低レベル機能を制御及び調整する。
【００４０】
図８の実施形態では、図１に関連して上述したように、カメラ１１２は、レコーダ１１４から（公知の又は改良されたタイムコードなどの）グローバル同期信号を受信するためのタイムコードマネージャ８１６を利用することができる。その後、タイムコードマネージャ８１６は、受信したタイムコードを、カメラ１１２によって取り込んだビデオデータ及び音声データと組み合わせることにより、レコーダ１１４へ送信するための最終カメラデータ８２０を生成することができるという利点を有する。この埋め込まれたタイムコードは、様々なカメラからのカメラデータを容易に同期できるようにすることにより、その後のあらゆる編集手順を大幅に容易化する。
【００４１】
図８の実施形態では、カメラ１１２がセキュリティモジュール８１８を利用して、いずれかの効果的な態様でレコーダ１１４とカメラ１１２の間にセキュアな無線通信回線を作り出す役に立てる。例えば、図３に関連して上述したように、セキュリティモジュール８１８は、レコーダ１１４による検出のために、送信するカメラデータ８２０と共にセキュリティ識別子を送信することができる。
【００４２】
図８の実施形態では、カメラ１１２は、通信モジュール８２２を利用して、いずれかの適当な目的のためにレコーダ１１４と双方向に通信することができる。例えば、いくつかの実施形態では、通信モジュール８２２がレコーダ１１４と通信して、カメラユーザがレコーダ１１４の様々な適当な機能を遠隔制御できる遠隔レコーダ制御手順をサポートすることができる。遠隔レコーダ制御手順中、通信モジュール８２２は、レコーダ１１４から様々な状態表示信号を受信することができる。カメラ１１２は、対応する情報をファインダ内に表示することができる。この結果、カメラユーザは、カメラ１１２に、いずれかの所望の制御信号を送信してレコーダ１１４の動作を遠隔的に管理させることができる。雑記憶装置８２４は、いずれかの所望の追加情報、ソフトウェア、又はデータを含むことができる。レコーダメモリ７４６の利用性に関するさらなる詳細については、図９Ａ〜図９Ｃに関連して以下でさらに説明する。
【００４３】
ここで図９Ａ〜図９Ｃを参照すると、本発明の１つの実施形態による、記録システム１１０を効果的に利用する方法ステップのフロー図を示している。図９の例は例示目的で示すものであり、代替の実施形態では、本発明は、図９の実施形態に関連して説明するもの以外の様々なステップ及びシーケンスを利用することができる。
【００４４】
図９Ａの実施形態では、ステップ９１２において、記録システム１１０（図１）のレコーダ１１４が、最初にタイムコード生成器２２０を利用していずれかの効果的な態様でタイムコード信号の生成を開始する。ステップ９１２の後、図９Ａのフロー図は、接続文字「Ａ」を介して図９Ｂのステップ９２８へ分岐する。また、図９Ａのステップ９１４において、レコーダ１１４がセキュリティマネージャ３１６を利用して、いずれかの効果的な技術又はプロトコルに基づいて複数の異なるカメラへのセキュアな無線接続を確立する。
【００４５】
ステップ９１６において、レコーダ１１４がトランシーバ２１４を利用して、生成されたタイムコード信号を異なるそれぞれのカメラ１１２へ無線で送信する。ステップ９１８において、様々なカメラ１１２が、適当なビデオデータ及び対応する音声データを取り込む。ステップ９２０において、カメラ１１２がそれぞれのタイムコードマネージャ８１６を利用して、受信したタイムコードを取り込んだカメラデータ８２０（ビデオデータ及び音声データ）に挿入する。
【００４６】
ステップ９２４において、次にカメラ１１２は、それぞれのトランシーバ７５０を利用してカメラデータ８２０をレコーダ１１４へ送信する。ステップ９２６において、レコーダ１１４が様々なカメラ１１２からカメラデータ８２０を受信した後、この受信したカメラデータをレコーダメモリ２１８にローカルに記憶する。その後、図９Ａの処理は、接続文字「Ｂ」を介して図９Ｃのステップ９３８へ進む。
【００４７】
本発明のいくつかの実施形態によれば、通常、図９Ｂのフロー図に関連して後述する処理を、図９Ａのフロー図に関連して上述した処理と同時に行うことができる。図９Ｂの実施形態のステップ９２８において、レコーダ１１４と拡声システム（ＰＡ）１１６の間にいずれかの効果的な態様で接続が提供される。ステップ９３２において、レコーダアプリケーション３１２が、レコーダ１１４のタイムコード生成器２２０により生成されているタイムコードにアクセスする。
【００４８】
ステップ９３２において、レコーダ１１４が、ＰＡ１１６からＰＡ音声信号を受信する。ステップ９３４において、レコーダアプリケーション３１２が、ＰＡ音声信号をタイムコード信号と組み合わせてＰＡデータ３２０を生成する。ステップ９３６において、レコーダアプリケーション３１２が、ＰＡデータ３２０をレコーダメモリ２１８にローカルに記憶する。その後、図９Ｂの処理は、接続文字「Ｂ」を介して図９Ｃのステップ９３８へ進む。
【００４９】
図９Ｃの実施形態のステップ９３８において、レコーダ１１４とコンピュータ１１８の間にいずれかの効果的な態様で接続が提供される。ステップ９４０において、コンピュータ１１８が、いずれかの適当なプロトコル又は技術に基づいてレコーダ１１４との双方向通信を開始する。ステップ９４２において、コンピュータ１１８の編集プログラムが、レコーダメモリ２１８に記憶されているカメラデータ３１８及びＰＡデータ３２０にアクセスする。
【００５０】
ステップ９４２において、コンピュータ１１８の編集プログラムが、カメラデータ３１８及びＰＡデータ３２０をレコーダメモリ２１８に記憶したままで、これらに対して行われる編集手順を遠隔制御することにより、編集済みデータ３２４を生成する。最終的に、ステップ９４６において、レコーダアプリケーションが、編集済みデータ３２４をレコーダメモリ２１８にローカルに記憶する。このようにして、本発明は、レコーダ装置を効果的に利用するための改善されたシステム及び方法を提供する。
【００５１】
以上、いくつかの実施形態を参照しながら本発明について説明した。当業者には、本開示に照らして他の実施形態も明らかとなるであろう。例えば、上記実施形態で説明したもの以外の構成及び技術を使用して本発明を容易に実施することができる。また、上述したもの以外のシステムと共に本発明を効果的に使用することができる。従って、説明した実施形態に対するこれらの及びその他の変形例も本発明に含まれることが意図されており、本発明は、添付の特許請求の範囲によってのみ限定される。
【図１】
0005592203.tif 000002
【図２】
0005592203.tif 000003
【図３】
0005592203.tif 000004
【図４】
0005592203.tif 000005
【図５】
0005592203.tif 000006
【図６】
0005592203.tif 000007
【図７】
0005592203.tif 000008
【図８】
0005592203.tif 000009
【図９Ａ】
0005592203.tif 000010
【図９Ｂ】
0005592203.tif 000011
【図９Ｃ】
0005592203.tif 000012